(57)【特許請求の範囲】
【請求項１】
スクリーン（４）を張設した外筒（５）の内部に、スクリュー羽根（６）を巻き掛けたスクリュー軸（７）を配設し、外筒（５）に供給した汚泥を、スクリュー羽根（６）で搬送しながら外筒（５）のスクリーン（４）からろ液を分離して、外筒（５）の排出口（１１）からケーキを取出すスクリュープレスにおいて、上記スクリュー羽根（６）に当接させる垂直面（１４ａ）と外方に拡大させた傾斜面（１４ｂ）を有する一連のスクレーパ（１４）をスクリュー羽根（６）の外周先端部に配設し、外方に縮小させた押え板（１５）の傾斜面（１５ａ）をスクレーパ（１４）に当接すると共に、上記スクレーパ（１４）に外周方向の長孔（１４ｃ）と、押え板（１５）にネジ穴（１５ｂ）を設け、スクリュー羽根（６）の通孔（６ａ）に挿通した取り付けボルト（１６）を押え板（１５）に螺着してスクレーパ（１４）を挟持させ、スクレーパ（１４）の外周方向への移動を可能としたことを特徴とするスクリュープレスにおける目詰まり防止装置。
【請求項２】
上記スクリュー羽根（６）に止着したスクレーパ（１４）の外周面に一連の切欠き溝（１４ｄ）を設けたことを特徴とする請求項１に記載のスクリュープレスにおける目詰まり防止装置。
【請求項３】
上記スクレーパ（１４）の両側面に潤滑部材（１８）を貼着したことを特徴とする請求項１または２に記載のスクリュープレスにおける目詰まり防止装置。
【発明の詳細な説明】
【０００１】
【発明の属する技術分野】
この発明は、産業排水汚泥、下水汚泥などの固液分離に用いるスクリュープレスのスクレーパに関し、詳しくは、外筒スクリーンの目詰まりを防止させるためにスクリュー羽根に止着したスクレーパの改良に関する。
【０００２】
【従来の技術】
従来、スクリュー羽根に止着したスクレーパを用いて外筒スクリーンの目詰りを防止するスクリュープレスは公知である。そして、一連の帯状に構成したスクレーパをスクリュー羽根にボルトで固定して、外筒スクリーンの内面に弾圧的に摺接させる装置も、例えば、特開平８−５７６９２号公報に記載してあるように、本願発明の出願人が提案している。
【０００３】
【発明が解決しようとする課題】
上記従来の可撓性を有するスクレーパは、弾圧的に外筒スクリーンに摺接されて、スクリーンの目詰まりが解消されるものであるが、摩耗性のある材質のため、外筒スクリーンに摺接出来なくなった時には交換が必要となり、その交換に時間と労作を要する。また、スクリーン面に摺接させるスクレーパがケーキに押し戻されて離反する恐れもあった。この発明は、上記従来の利点を生かしながら、スクリュー羽根に止着したスクレーパを外周方向に摺動させて、交換せずに調整が可能なスクレーパを提供する。
【０００４】
【課題を解決するための手段】
この発明の要旨は、スクリーンを張設した外筒の内部にスクリュー羽根を巻き掛けたスクリュー軸を配設し、外筒に供給した汚泥を、スクリュー羽根で搬送しながら外筒のスクリーンからろ液を分離して、外筒の排出口からケーキを取り出すスクリュープレスにおいて、上記スクリュー羽根に当接させる垂直面と外方に拡大させた傾斜面を有する一連のスクレーパをスクリュー羽根の外周先端部に配設し、外方に縮小させた押え板の傾斜面をスクレーパに当接して、スクリュー羽根と押え板でスクレーパの適所を挟持したものである。スクレーパの具体的な取り付け手段が、スクレーパに外周方向の長孔と、押え板にネジ穴を設け、スクリュー羽根の通孔に挿通したボルトを押え板に螺着してスクレーパを挟持させ、スクレーパの直角方向への移動を可能としたものである。そして、スクリーン面との接触抵抗を小さくするために、スクリュー羽根に止着したスクレーパの外周面に一連の切欠き溝を設けたものである。また、滑り摩擦抵抗を小さくするために、スクレーパの両側面に潤滑部材を貼着してもよいものである。
【０００５】
【発明の実施の形態】
この発明は上記のように構成してあり、スクリュープレスに汚泥を圧入して、外筒のスクリーンに固液分離された固形物がスクリーン面にケーキ層を形成する。スクリュー羽根に止着したスクレーパが始端から終端に到るスクリーンのろ過面に摺接しながら回転し、目詰まりせんとするケーキ層を掻取りながらケーキを搬送してスクリーン面を再生する。スクレーパが摩耗してスクリーンのろ過面に摺接できなくなった時には、取り付けボルトを増締めすることにより、押え板を引寄せスクレーパをスクリュー軸の軸心に対し直角方向に移動させて、外筒のスクリーンに摺接させてスクレーパの調整を行なう。スクレーパを交換する必要がなく、僅かな労作で調整できる。また、スクレーパの外周面に設けた一連の切欠き溝が掻取り回数を増加させ、スクレーパの外筒スクリーンへの接触面を小さくして弾力的に押付けが可能となる。スクレーパの両側面に潤滑部材を貼着すれば、潤滑性が増加して直角方向への移動が容易となる。
【０００６】
【実施例】
この発明の実施例を図面に基づき詳述すると、先ず、図１はスクリュープレスの一部縦断側面図であって、スクリュープレス１が前後のフレーム２、３に支架されており、スクリーン４を周部に張設した外筒５の内部に、スクリュー羽根６を巻き掛けたスクリュー軸７が配設してある。外筒５に内設したスクリュー軸７の始端側に供給路８が設けてあり、原液タンク９の汚泥を圧入ポンプ１０で供給路８に圧入する。この圧入した汚泥はスクリュー軸７に設けた供給路８の吐出口８ａからスクリーン４を張設した外筒５の始端部に圧入され、スクリュー軸７に巻き掛けたスクリュー羽根６で搬送しながら外筒５のスクリーン４からろ液を分離して、後端部の排出口１１からケーキを取出すようにしてある。外筒５のスクリーン４に固液分離された固形物がスクリーン面にケーキ層を形成する。なお、符号１２は外筒５の排出口１１に設けた背圧調整用のプレッサー、符号１３はスクリュー軸７の駆動機である。
【０００７】
図１に示すように、スクリュー軸７に巻き掛けたスクリュー羽根６に、その始端部から終端部にかけて一連のスクレーパ１４がスクリュー羽根６の外周先端部に配設してある。図２に示すように、スクレーパ１４は押え板１５とスクリュー羽根６の先端部に挟持され、スクレーパ１４をスクリーン４に弾力的に接触させて取り付けボルト１６でスクリュー羽根６に止着してある。
図３はスクレーパの要部縦断側面図であって、スクレーパ１４の縦断面が、スクリュー羽根６に当接させる垂直面１４ａと外方に拡大させた傾斜面１４ｂを有しており、スクレーパ１４の傾斜面１４ｂに外方に縮小させた押え板１５の傾斜面１５ａが当接してある。
【０００８】
図３に示すように、スクレーパ１４に外周方向の長孔１４ｃと、押え板１５にネジ穴１５ｂが設けてあり、スクリュー羽根６の通孔６ａに挿通した取り付けボルト１６を押え板１５に螺着して、スクレーパ１４がスクリュー羽根６の適所に止着してある。なお、符号１７はスクリュー羽根６と取り付けボルト１６の間に設けたスプリングワッシャーである。スクレーパ１４の外方に拡大させた傾斜面１４ｂと外方に縮小させた押え板１５の傾斜面１５ａが締付けてあるので、スクレーパ１４は外筒５のスクリーン４面の方向に押付けられて後退することがなくスクリーン４面に弾力的に摺接させることができる。スクレーパ１４が摩耗してスクリーン４のろ過面に摺接できなくなった時には、押え板に螺着した取り付けボルト１６を増締めすれば、押え板１５を引寄せスクレーパ１４は外周方向に滑動して、外筒５の内周面に再び摺接する。スクレーパ１４を交換する必要がなく、僅かな労作でスクレーパ１４の調整が可能となる。
【０００９】
スクリュー羽根６に止着したスクレーパ１４の外周面に、その始端部から終端部にかけて一連の切欠き溝１４ｄが設けてあり、この切欠き溝１４ｄによりスクレーパ１４の先端部が分割されて掻取り回数を増加させ、スクリーン４の目詰まり防止を助長する。なお、切欠き溝１４ｄの溝数は、図面では二条としてあるが、スクリュープレス１の大きさにより適宜変更できるものである。スクレーパ１４の外筒５のスクリーン４への接触面を小さくして弾力的に押付けが可能となる。また、フッ素樹脂や超高分子量ポリエチレンなどの潤滑部材１８をスクレーパ１４の両側面に貼り付ければ、滑り摩擦が小さくなり、取り付けボルト１６の増締めによりスクレーパ１４を移動しやすくなる。
【００１０】
【発明の効果】
この発明は上記のように構成してあり、取り付けボルトを増締めすることにより、スクレーパが外周方向に移動して、僅かな労作でスクレーパの調整が可能となる。即ち、従来のスクレーパは摩耗性により外筒スクリーンに摺接出来なくなった時には交換が必要となるものであるが、この発明にあっては、スクリュー羽根に当接させる垂直面と外方に拡大させた傾斜面を有する一連のスクレーパをスクリュー羽根の外周先端部に配設し、外方に縮小させた押え板の傾斜面をスクレーパに当接して、スクリュー羽根と押え板でスクレーパの適所を挟持したので、スクレーパは外筒のスクリーンに押付けられて後退することがない。そして、押え板に螺着した取り付けボルトを増締めすれば、押え板を引寄せスクレーパは傾斜面に沿って外周方向に滑動して、外筒の内周面に摺接させることができる。
【００１１】
スクリュー羽根に止着したスクレーパの外周面に一連の切欠き溝を設けたもので、スクレーパの先端部が分割されて掻取り回数を増加させ、スクリーンへの接触面を小さくして弾力的にスクレーパの押付けが可能となる。そして、スクレーパの両側面に潤滑部材を貼着したもので、滑り摩擦が小さくなり、取り付けボルトの増締めによりスクレーパが移動しやすくなる。
【図面の簡単な説明】
【図１】この発明に使用するスクリュープレスの縦断側面図である。
【図２】この発明に係るスクリュープレスにおける目詰まり防止装置の要部縦断側面図である。
【図３】同じく、スクレーパの要部縦断側面図である
【符号の説明】
４  スクリーン
５  外筒
６  スクリュー羽根
６ａ  通孔
７  スクリュー軸
１１  排出口
１４  スクレーパ
１４ａ  垂直面
１４ｂ  傾斜面
１４ｃ  長孔
１４ｄ  切欠き溝
１５  押え板
１５ａ  傾斜面
１５ｂ  ネジ穴
１６  取り付けボルト
１８  潤滑部材
【図１】
0003858701.tif 000002
【図２】
0003858701.tif 000003
【図３】
0003858701.tif 000004